(57)【要約】【課題】    方立部や縦枠に設ける自然換気用換気装置を提供する【解決手段】    方立部（縦枠部）の内部構造があらかじめ屋外側と屋内側とを連通させた構造を有し、屋内側の第１開口部と第２開口部との間に通気調整室が設けられてこの中に、屋外からの流入吸気量により揺動して屋内への流出量を自動調節する通気量調整板が設けられ、また、流出口に強制的に流出量を規定する手段が設けられた自然換気装置【選択図】  図１
2005127120.tif 000002
【特許請求の範囲】
【請求項１】
方立部または縦枠部の内部が屋外側と屋内側とを連通させた通気構造を有し方立部または縦枠部の屋内側の第１開口部と第２開口部間に通気調整室が設けられこの通気調整室に通気量調整手段を有する通気量調整板が設けられこの通気量調整板が第１開口部と第２開口部のいずれか一方の開口部に当接した際に当該開口部の周面が密閉されるように第１開口部および第２開口部の通気調整室側の開口部周面かあるいは通気量調整板の表裏両周面かのいずれか一方に密閉部材が設けられ更に第２開口部の外側に設けられた通気板に前記通気量調整板を第１開口部あるいは第２開口部に近接密接させる手段が設けられていることを特徴とする自然換気装置
【発明の詳細な説明】
【技術分野】
【０００１】    本発明装置は、はめ殺し窓または一般の開閉窓などの方立部や縦枠に設ける自然換気用換気装置に関する。
【背景技術】
【０００２】    換気方法として従来から行われている最も単純な方法は窓や障子などを開閉して室内空気と外界の空気の入れ換えをする自然換気方法であるが、高層ビル等の窓は地上より風が強いため窓の開閉が出来ないような構造になっている場合が多く、そのほとんどはビル空調による集中システムが採用されている。この窓の開閉が出来ないような構造は進化して最近では遠くから見ると全面ガラスのみで構成されたように見えるビルディングが増えてきているがこの集中システムのビル空調は換気が不十分になりがちで室内空気はきれいとは言えない。そのため自然換気方法が種々工夫され、建物外壁に換気口を設け建物内外を連通させた風洞を設け風洞内に風量調整弁を設けた自然換気装置（特許文献１参照）や無目を利用して室内を換気する装置（特許文献２参照）あるいは通常形状の無目を利用して簡単に換気無目とする換気装置（特許文献３参照）などが提供されてきていた。【０００３】
【特許文献１】        特開平１０−２３２０３９号公報  図１〜図２
【特許文献２】        特開昭５９−２８０７号公報
【特許文献３】        開平１１−２１７９８０号公報  フロントページ
【発明の開示】
【発明が解決しようとする課題】
【０００４】    しかしながら特許文献１のものはあらかじめサッシあるいはカーテンウォールに建物内外と連通する風洞の空気出入口を一体的に形成しておく必要があってそれは別注品であり、特許文献２、特許文献３は無目の部分の全体を用いるのではなく無目の一部分に筒体を挿入して換気通路を形成してなるものであってあらかじめ筒体挿入のための前加工を必要とするという問題点があり、また特許文献１の図１のものは屋内吹き出しが床板開口部であり、特許文献２、特許文献３のものはいずれも屋内側吹き出しの開口部が天井方向を向いており、室内で発生する塵埃が堆積して開口部を塞ぎ易いという不都合があった。本発明はかかる不都合を解決することを目的として提供されたものである。
【課題を解決するための手段】
【０００５】    本発明は換気装置の開口部を縦型にすれば塵埃が堆積しないという発想から方立部または縦枠に注目し、方立部または縦枠の内部構造を言及することによってかかる不都合を解決した。すなわち本発明は方立部または縦枠内部が屋外側と屋内側とを連通させた通気構造を有し、方立部または縦枠屋内側の第１開口部と第２開口部間に通気調整室が設けられ、この通気調整室に通気量調整手段を有する通気量調整板が設けられこの通気量調整板が第１開口部と第２開口部のいずれか一方の開口部に当接した際に当該開口部の周面が密閉されるように第１開口部および第２開口部の通気調整室側の開口部周面かあるいは通気量調整板の表裏両周面かのいずれか一方に密閉部材が設けられ、更に第２開口部の外側に設けられた通気板に前記通気量調整板を第１開口部あるいは第２開口部に近接密接させる手段が設けられていることを特徴とする自然換気装置である。【０００６】    ここでいう通気量調整手段とは屋外からの外気流入量が一定量以下の場合には通気調整室内における通気量調整板を定位置に戻し、一定量以上の場合は通気量調整板を外気流入量に応じてその分だけ開口部閉鎖方向に移動させる方法であり、それは例えばヒンジ金具を用いて通気量調整板を開口部密閉方向に揺動可能に吊り下げても良いし、通気調整室内側と通気量調整板両サイドの一方側に傾斜レールあるいは溝車を設け、他方側に溝車あるいは傾斜レールを設けて通気量調整板を開口部密閉方向に揺動可能に載置しても良い。【０００７】    また方立部または縦枠における屋内側の通気形状は片側吹き出しであっても両側吹き出しであっても良く、この自然換気装置の取り付けは１ヶ所でなく必要に応じて複数個所に設けても良い。ここで、本来方立部、縦枠と窓の各部にはそれぞれ名称が付記されていて窓と窓との間にある縦枠が方立部、１窓の両端にあるのが縦枠部であるが、本発明においては両者は略同一と考えられるため以後は方立部に名称を一本化して縦枠部はこの方立部という名称に含まれるものと規定する。
【発明の効果】
【０００８】    本発明の自然換気装置は方立部自身があらかじめ屋内外連通構造と２つの開口部を持つ通気調整室を有する構造に形成されているためこの通気調整室に通気量調整板を揺動可能に設置して密閉構造を工夫するだけで装着が容易であり、縦型であるため塵埃が堆積しにくい。また、屋外からの外気流入量によって通気調整板が第２開口部側に移動して屋内側への吹き出しを自動的に調整することが出来、通気板に設けられた通気量調整板の近接密接手段を操作することによって第１開口部からの流入風量をあらかじめ制限することが出来るし密閉することも出来るため快適な自然換気環境を得ることができる。
【発明を実施するための最良の形態】
【０００９】    以下本発明装置を図に基づいて説明すると図１は実施例の方立部における断面図であり、図２ははめ殺し窓の一部を示す外観図、図３は図２における内部側から見た換気装置の取付位置を示す斜視図であり、図４は通気量調整板のヒンジ金具による取付方法を示す正面図であり、図５は通気板の一例を示す正面図である。【００１０】    図１は屋内側吹き出し口すなわち第２開口部が左側面にある事例の断面図であり、これは通常時においては屋外側からの快適な風が流入して屋内側には自然な通風があり、屋外からの外気流入量に応じて調整された吹き出し量の風が屋内に流れ、屋外の強風が屋内側に影響を及ぼす場合には手動操作によって外気流入を閉鎖させることの出来る換気装置である。
【実施例】
【００１１】    図１においてその構成を説明すると、本発明の自然換気装置は図２に示すような建物外装を構成するガラス２のカーテンウォール間の方立部内に設けられたものである。方立部１の内部が屋内外ともに連通された通気構造を有し、方立部内部のうち屋内側の第１開口部３と第２開口部４間に通気調整室５が設けられ、この通気調整室５に、表裏両面の周囲に密閉用のタイトゴム６が取り付けされた通気量調整板７がヒンジ金具８により図４に示すように吊り下げられその吊り下げ位置は第１開口部３と第２開口部４との間の中間であり、両開口部３、４の閉鎖方向に揺動可能に設けられている。【００１２】    このタイトゴム６は通気量調整板７が第１開口部３と第２開口部４のうちいずれか一方の開口部に当接した際に当該開口部を密閉するためのものである。【００１３】    更に第２開口部４の外側には通気板９が設けられてビス留めされており、この通気板９の真中あたりにネジ穴加工された箇所があり、このネジ穴にネジ付の回転つまみ１０がロックナット１１を有してねじ込まれ、ネジ先端にはゴムキャップ１２が取り付けられている。この回転つまみ１０はねじ込むことによって先端のゴムキャップ１２が通気量調整板７に接触した後、更に通気量調整板７を第１開口部３に当接させ第１開口部３を密閉させる機能をもつものである。通気量調整板７を途中で止めることにより強制的に通気板９からの吹き出し量を設定することも出来る。図５は通気板９の一例を示す正面図であるが通気板９にはデザイン性があるため必ずしもこのような形状をしていなくても良い。【００１４】    次に動作を説明すると図１において、方立部１において屋外側の外気流入口１３から入った風は矢印のごとく進んで屋内側に侵入して第１開口部３から通気調整室５へと進む。この時の風速が通気量調整板７を動かさない程度のものであればその通風はそのまま第２開口部４から通気板９を経て屋内へと流れ込む。第１開口部３から入り込む時の風速が通気量調整板７を動かす程度のものであれば通気量調整板７はその風力加減に応じて第２開口部４側へ移動して第２開口部４側から吹き出す量を減少させる。風力が最大になれば通気量調整板７は第２開口部４に当接してタイトゴム６により第２開口部４は密閉され屋内には風は流入しなくり、このように風の強さにより通気量調整板７が適宜揺動して全自動的な自然換気が行なわれることになる。【００１５】    次に屋外の風が強いが屋内にもある程度風を入れたい場合には通気板９に取り付けされた回転つまみ１０を回してゆくとネジによりネジ先端のゴムキャップ１２が通気量調整板７に当接し続いて通気量調整板７を次第に押し込んでゆく、そのために通気量調整板７は第１開口部３に次第に近づき通気調整室５に入り込む風量が制限され当然その分屋内への吹き出し量も減少する。回転つまみ１０を最後まで回してゆくと通気量調整板７は第１開口部３に当接してタイトゴム６により第１開口部３は密閉され屋内には風は流入しなくなる。このようにこれは自然換気を手動操作するものである。
【図面の簡単な説明】
【００１６】
【図１】実施例の方立部における断面図
【図２】はめ殺し窓の一部を示す外観図
【図３】内部側から見た換気装置の取付位置を示す斜視図
【図４】通気量調整板のヒンジ金具による取付方法を示す正面図
【図５】通気板９の一例を示す正面図
【符号の説明】
【００１７】１  方立部
２  ガラス
３  第１開口部
４  第２開口部
５  通気調整室
６  タイトゴム
７  通気量調整板
８  ヒンジ金具
９  通気板
１０  回転つまみ
１１  ロックナット
１２  ゴムキャップ
１３、外気流入口
【図１】
2005127120.tif 000003
【図２】
2005127120.tif 000004
【図３】
2005127120.tif 000005
【図４】
2005127120.tif 000006
【図５】
2005127120.tif 000007